(57)【特許請求の範囲】
【請求項１】
管理システム（２）と、移動局（１）と、当該移動局（１）に接続される加入者識別モジュール（ＳＩＭ）と、を有する情報通信システムにおける加入者識別モジュール（ＳＩＭ）の記憶空間を管理するための方法であって、
加入者識別モジュール（ＳＩＭ）の前記記憶空間を、複数のアプリケーションを格納するために、複数のメモリ部分に分割するステップと、
前記複数のメモリ部分において、オペレータ、サービスプロバイダ、および／または加入者のそれぞれの複数のアプリケーションを格納するための領域として、それぞれ前記複数のメモリ部分のうちの幾つかのメモリ部分を動的に指定することによって、前記記憶空間を動的に割り当てるステップとを有することを特徴とする方法。
【請求項２】
加入者識別モジュール（ＳＩＭ）の記憶空間は、加入者識別モジュール（ＳＩＭ）のオペレーティングシステム、および／または、当該モジュールの記憶空間におけるアプリケーションによって、動的に割り当てられることを特徴とする、請求項１記載の方法。
【請求項３】
複数のメモリ部分おける前記記憶空間の動的割り当ては、外部の管理システム（２）により管理されることを特徴とする、請求項１または請求項２記載の方法。
【請求項４】
複数のメモリ部分おける前記記憶空間の割り当てに関する情報は、管理システム（２）に伝送されることを特徴とする、請求項１乃至請求項３に記載の方法。
【請求項５】
管理システム（２）と、移動局（１）と、当該移動局（１）に接続されている加入者識別モジュール（ＳＩＭ）と、を有する情報通信システムにおける移動局の加入者識別モジュール（ＳＩＭ）の記憶空間を管理するためのシステムであって、
前記加入者識別モジュールにおいて、複数のアプリケーションを格納するために、複数のメモリ部分に分割されている前記記憶空間と、
前記複数のメモリ部分において、オペレータ、サービスプロバイダ、および／または加入者のそれぞれの複数のアプリケーションを格納するための領域として、それぞれ前記複数のメモリ部分のうちの幾つかのメモリ部分を動的に指定することによって、前記記憶空間を動的に割り当てるための手段（３）と、を有することを特徴とするシステム。
【請求項６】
前記システムは、加入者識別モジュール（ＳＩＭ）のオペレーティングシステム、および／または当該モジュールの記憶空間におけるアプリケーションによって、加入者識別モジュール（ＳＩＭ）の記憶空間を動的に割り当てるための手段（４）を有することを特徴とする、請求項５記載のシステム。
【請求項７】
前記システムは、複数のメモリ部分おける前記記憶空間の割り当てに関する情報を外部の管理システム（２）に伝送するための手段（５）を有することを特徴とする、請求項５または請求項６記載のシステム。
【請求項８】
前記システムは、外部の管理システム（２）によって、複数のメモリ部分おける前記記憶空間を動的に管理するための手段（６）を有することを特徴とする、請求項５乃至請求項７記載のシステム。
【請求項９】
データ処理装置（７）と、当該データ処理装置（７）に接続される格納装置（８）と、当該データ処理装置（７）に接続され、移動局（１）と加入者識別モジュール（ＳＩＭ）の間で情報を転送するためのインターフェースが設けられた転送装置（９）と、を有する加入者識別モジュール（ＳＩＭ）であって、
当該加入者識別モジュール（ＳＩＭ）において、複数のアプリケーションを格納するために、複数のメモリ部分に分割されている前記記憶空間と、
前記複数のメモリ部分において、オペレータ、サービスプロバイダ、および／または加入者のそれぞれの複数のアプリケーションを格納するための領域として、それぞれ前記複数のメモリ部分のうちの幾つかのメモリ部分を動的に指定することによって、前記記憶空間を動的に割り当てるための手段（３）と、を有することを特徴とする加入者識別モジュール（ＳＩＭ）。
【請求項１０】
前記加入者識別モジュール（ＳＩＭ）は、当該加入者識別モジュール（ＳＩＭ）のオペレーティングシステム、および／または当該モジュールの記憶空間におけるアプリケーションによって、加入者識別モジュール（ＳＩＭ）の記憶空間を動的に割り当てるための手段（４）を有することを特徴とする請求項９記載の加入者識別モジュール（ＳＩＭ）。
【請求項１１】
前記加入者識別モジュール（ＳＩＭ）は、複数のメモリ部分おける前記記憶空間の割り当てに関する情報を外部の管理システム（２）に伝送するための手段（５）を有することを特徴とする、請求項９または請求項１０記載の加入者識別モジュール（ＳＩＭ）。
【発明の詳細な説明】
【０００１】
発明の技術分野
本発明は、情報通信技術に関する。特に、本発明は、加入者識別モジュールの複数の記憶領域を動的に割り当てるとともに、オペレータ、サービスプロバイダ、および加入者との間における記憶領域を分配するための方法およびシステムに関する。
【０００２】
発明の背景
移動局の機能性にとって非常に本質的な構成要素は、移動局に接続される加入者識別モジュール（ＳＩＭ）である。移動通信システム、たとえば、ＧＳＭシステム（Global System for Mobile communications）において、かかる加入者識別モジュールによって、新しい移動ネットワークアプリケーションを実現することができる。従来から、この加入者識別モジュールは、移動通信ネットワークにおける加入者の特定情報および通話確立（call setup）のために必要な情報を格納するために、用いられてきている。移動体通信において用いることができる機能的な複数のアプリケーションや他の複数のアクティビティは、加入者識別モジュールにロードされる。次世代の移動局は、加入者識別モジュールの機能性に対してより多くの要求を提起することになるであろう。現在では、加入者識別モジュールは、情報が格納されるとともに、規定される複数の記憶領域（memory areas）が非常に静的である、構成要素として機能する。
【０００３】
上述したソリューションの問題は、加入者識別モジュールへ格納、すなわちロードされる複数のアプリケーションが、記憶域（memory）において固定され、予め定められた空間を占めることである。このあらかじめ決められた記憶空間（memory space）のサイズは、特殊な手段を用いるオペレータによる以外、変更することができない。この所望の変更のために短い応答時間が要求される場合、この動作方法は効率が悪い。さらなる問題は、加入者識別モジュールが完全にオペレータの支配下にあるために、顧客および／またはサービスプロバイダは、自らのアプリケーションを加入者識別モジュールに配置する機会を有しないことである。さらに他の問題は、複数の加入者識別モジュールにおける記憶域の構成（memory structures）とアプリケーションとに関するデータベースを維持するのに、かなりの量のディスク容量およびリソースを必要とすることである。
【０００４】
本発明の目的は、かかる弊害を取り除くこと、あるいは、少なくともかかる弊害を著しく減少させることである。
【０００５】
本発明の具体的な目的は、加入者識別モジュールの記憶域を動的に管理することを許容する新規な方法およびシステムを開示することである。記憶域は、たとえば加入者識別モジュールに格納されたアプリケーションによって、および／または、オペレーティングシステムまたはオペレータによって、管理することができる。同時に、前記構成と複数のアプリケーションとに関する情報は、必要なときに取得されることが可能であるので、オペレータは、加入者識別モジュールにおける、記憶域の構成とアプリケーションとに関するデータベースのサイズが増大することを防止することができる。本発明は、加入者識別モジュールの記憶空間を顧客および／またはサービスプロバイダプロバイダによる使用のために解放することができるとともに記憶空間の使用が動的に管理されるという効果を提供する。
【０００６】
発明の特徴的な構成については、特許請求の範囲が参照される。
【０００７】
発明の要約
本発明に係る方法は、情報通信システムの移動局における加入者識別モジュールの記憶空間の動的割り当てに関する。情報通信システムは、好ましくは、管理システムと、移動局と、移動局に接続される加入者識別モジュールとを有する。本方法において、加入者識別モジュールの記憶空間は、複数のアプリケーションを格納するために、複数のメモリ部分に分割される。さらには、複数のアプリケーションは、加入者識別モジュールに格納される。
【０００８】
加入者識別モジュールのメモリの動的割り当ては、加入者識別モジュールのオペレーティングシステム、および／またはこの記憶空間におけるアプリケーションによって、達成される。複数のメモリ領域、つまり、分割して得られた複数のメモリ部分は、オペレータ、サービスプロバイダ、および／または顧客によって用いられる、複数のアプリケーションのために、割り当てられる。そのプログラムは、ユーザーから見れば、たとえば、加入者識別モジュールの記憶空間（記憶領域）の管理アプリケーションとして、認識されうる。ユーザーは、たとえば、ＡＤＮ(短縮電話番号 Abbreviated Dialing Number)およびＳＭＳ（ショートメッセージサービス Short Message Service）の領域のために、それぞれ前記複数のメモリ部分に分割されている記憶空間のうち、どれだけの空間が割り当てられるのかを、選択することができる。つまり、前記複数のメモリ部分において、それぞれの複数のアプリケーションを格納するための領域として、それぞれ前記複数のメモリ部分のうちの幾つかのメモリ部分を動的に指定することによって記憶空間を動的に割り当てることができる。加入者識別モジュールにおける記憶域の管理プログラムは、所定の基準にしたがって必要に応じてファイルサイズを増加または減少することによって、独立に記憶空間を管理できる。記憶空間の動的割り当ては、外部の管理システムを用いることにより、実現することができる。実際上、これは、オペレータにより維持されるとともにオペレータに加入者識別モジュールにおいて複数のメモリ部分に分割されている記憶空間の構成を変更させることを許容するＯＴＡサーバ（Over The Air）を意味する。この管理システムは、加入者識別モジュールにおいて複数のメモリ部分に分割されている記憶空間の構成とそこに格納されているアプリケーションに関する情報を伝送するように加入者識別モジュールに対して要求する。このように、複数のメモリ部分おける前記記憶空間の構成についての情報が必要に応じて取得され、これにより、加入者識別モジュールに関するオペレータのデータベースへのオーバーロードを回避することができる。
【０００９】
本発明に係るシステムは、前記複数のメモリ部分において、オペレータ、サービスプロバイダ、および／または加入者の、それぞれの複数のアプリケーションを格納するための領域として、それぞれ前記複数のメモリ部分のうちの幾つかのメモリ部分を動的に指定することによって、前記記憶空間を動的に割り当てるための手段を有する。さらに、本システムは、加入者識別モジュール（ＳＩＭ）の記憶空間は、加入者識別モジュール（ＳＩＭ）のオペレーティングシステム、および／または、当該モジュールの記憶空間におけるアプリケーションによって、動的に割り当てられる。
【００１０】
さらに、本発明に係るシステムは、外部の管理システムを使用して、動的メモリ割当てを管理するための手段を有する。加えて、複数のメモリ部分おける前記記憶空間の割り当てに関する情報を外部の管理システムに送信する手段を有する。
【００１１】
本発明は、加入者識別モジュールにも関する。それは、データ処理装置と、データ処理装置に接続される格納装置と、当該データ処理装置に接続されるデータ転送装置とを有する。加えて、加入者識別モジュールには、移動局と加入者識別モジュールの間のデータ転送のためのインターフェースが設けられる。
【００１２】
加入者識別モジュールは、当該加入者識別モジュール（ＳＩＭ）において、複数のアプリケーションを格納するために、複数のメモリ部分に分割されている前記記憶空間と、前記複数のメモリ部分において、オペレータ、サービスプロバイダ、および／または加入者の、それぞれの複数のアプリケーションを格納するための領域として、それぞれ前記複数のメモリ部分のうちの幾つかのメモリ部分を動的に指定することによって、前記記憶空間を動的に割り当てるための手段とを含む。
【００１３】
加えて、加入者識別モジュールは、加入者識別モジュールのオペレーティングシステムによって、および／または、その記憶空間におけるアプリケーションによって、加入者識別モジュールの記憶空間を動的に割り当てるための手段を含む。さらに、加入者識別モジュールは、管理システムに、割り当て情報を伝送するための手段を含む。
【００１４】
従来技術と比較して、本発明は、次の有利な効果を有している。すなわち、本発明によれば、それぞれの顧客のＳＩＭカードについての正確な情報が蓄積されているデータベースを維持することが不要となる。その代わりとして、加入者識別モジュールは、サーバに対して、必要に応じて、その記憶域の構成についての情報を与える。本発明によりもたらされる具体的な効果は、加入者識別モジュールの記憶域の動的管理である。そのカードを処理するためにオペレータの施設に持っていく必要はなく、その代わりとして、記憶域は、無線手段による遠隔保守を介して、もしくは、加入者識別モジュールにあるアプリケーションまたはそのオペレーティングシステムを介して、管理される。
【００１５】
図面のリスト
以下、本発明を、その実施の形態のいくつかの例を用いて、詳細に説明する。
【００１６】
図１は、本発明による好適な情報通信システムを示す。
【００１７】
図２は、加入者識別モジュールの記憶域の構成の好適な例を示す。
【００１８】
図３は、本発明による記憶域の管理の好適な例を示す。
【００１９】
発明の詳細な説明
図１に示されるシステムは、移動局１および管理システム２を有する。移動局１に接続されているのは、加入局識別モジュールＳＩＭである。管理システム２は、加入者識別モジュールＳＩＭにおける複数の記憶領域の動的な割り当てを管理するのための手段６を有する。
【００２０】
図１に示されるような好ましい加入者識別モジュール（ＳＩＭ）は、データ処理装置７と、データ処理装置７に接続される記憶装置８と、データ処理装置７に接続されるデータ転送装置と、を有する。さらに、加入者識別モジュールＳＩＭには、移動局１と加入者識別モジュールＳＩＭの間でデータを転送するためのインターフェースＩＦが、設けられている。
【００２１】
加入者識別モジュールと移動通信ネットワークの間のデータのやりとりのためには、標準化されたプロトコルが使用される。移動局と管理システムの間の通信、矢印１０は、たとえば、ＳＭＳメッセージまたはＵＳＳＤメッセージ（ＵＳＳＤ、Unstructured Service Data）を用いて実現されることができる。
【００２２】
手段３〜９は、それ自体は知られた方法により実現されるため、ここでは、詳しく述べない。
【００２３】
図２は、加入者識別モジュールの記憶域の構成の好適な例を示す。この例において、その構成は、加入者識別モジュールの機能を制御するオペレーティングシステム２１を有する。記憶域の管理アプリケーション２２の機能は、その名前から分かるように、異なる複数のアプリケーションのための記憶領域の割り当てを管理するためのものであるととともに、記憶域の構成に関する情報を、要求に応じてオペレータまたはオペレーティングシステムに伝送するためのものである。ＡＤＮフィールド２３およびＳＭＳフィールド２４のサイズは、記憶域の管理アプリケーションにより変更することができる。本発明によれば、複数の異なるパーティが、加入者識別モジュールにおける記憶領域を、占めることができる。本例では、前記パーティは、オペレータ記憶領域２５に加えて、顧客記憶領域２６、および３番目のパーティにより占められる記憶領域２７を含む。
【００２４】
図３は、本発明による記憶域の管理の好適な実施の形態を表示するフローチャートの一例を提示する。ブロック３１において、記憶域の再配置のための要求が、受け取られる。この要求は、オペレータまたは加入者識別モジュールか、ユーザーのどちらか一方により発せられる。ブロック３２では、要求されたオペレーションが実行可能であり、かつ許容されるかどうかを確定するために、チェックが実行される。実際には、このことは、このカードが十分な記憶域を持つかどうか、および、所望のオペレーションがオペレータにより許容されているかどうか調べることを意味する。オペレーションが許容されていない場合は、エラーメッセージ３６が出される。エラーメッセージが出た後、記憶域の再配置のための要求が中止される(３５)。
【００２５】
オペレーションが実行可能であり、かつ許容されている場合には、ブロック３３に向けて処理が続行され、記憶域の構成が要求通りに変更される。所望の変更がなされた後、サーバに、変更の成功が通知され（ブロック３４）、そして、変更処理が終了する（ブロック３５）。
【００２６】
本発明は、上述した実施の形態の例によって制限されず、請求の範囲に規定される発明の思想の範囲内で多くの変形が可能である。
【図面の簡単な説明】
【図１】  図１は、本発明による好適な情報通信システムを示す。
【図２】  図２は、加入者識別モジュールの記憶域の構成の好適な例を示す。
【図３】  図３は、本発明による記憶域の管理の好適な例を示す。
【図１】
0004425472.tif 000002
【図２】
0004425472.tif 000003
【図３】
0004425472.tif 000004